【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
７重量％〜１９重量％のスズと；
０．２重量％〜５重量％のアンチモンと；
０．１重量％〜３．５重量％の銅と；
０．３重量％〜２重量％のニッケルと；
７７重量％〜８２重量％のインジウムと；
１重量％〜６重量％の銀と；
０．０１重量％〜４重量％の亜鉛とのみからなる元素混合物を含むはんだ組成物。
【請求項２】
請求項１記載のはんだ組成物であって、固相線温度が１２０℃〜１４５℃の範囲にある、はんだ組成物。
【請求項３】
請求項１記載のはんだ組成物であって、液相線温度が１３０℃〜１５５℃の範囲にある、はんだ組成物。
【請求項４】
請求項１記載のはんだ組成物であって、前記元素混合物が、
７重量％〜８重量％のスズと；
３重量％〜４重量％のアンチモンと；
０．５重量％〜１．５重量％の銅と；
１重量％〜２重量％のニッケルと；
７７重量％〜７８重量％のインジウムと；
５重量％〜６重量％の銀と；
３重量％〜４重量％の亜鉛とのみからなる、はんだ組成物。
【請求項５】
請求項１記載のはんだ組成物であって、前記元素混合物が、
９重量％〜１０重量％のスズと；
４重量％〜５重量％のアンチモンと；
２重量％〜３重量％の銅と；
１重量％〜２重量％のニッケルと；
８０重量％〜８２重量％のインジウムと；
２重量％〜３重量％の銀と；
０．０２重量％〜０．１重量％の亜鉛とのみからなる、はんだ組成物。
【請求項６】
１１重量％〜１７重量％のスズと；
０．５重量％〜３重量％のアンチモンと；
０．５重量％〜１．５重量％の銅と；
０．５重量％〜５重量％のニッケルと；
７２重量％〜７７重量％のインジウムと；
４重量％〜８．５重量％の銀と；
０．３重量％〜１．５重量％の亜鉛とのみからなる元素混合物を含むはんだ組成物。
【請求項７】
請求項６記載のはんだ組成物であって、固相線温度が１２０℃〜１４５℃の範囲にある、はんだ組成物。
【請求項８】
請求項７記載のはんだ組成物であって、固相線温度が１２０℃〜１３５℃の範囲にある、はんだ組成物。
【請求項９】
請求項６記載のはんだ組成物であって、液相線温度が１３０℃〜１５５℃の範囲にある、はんだ組成物。
【請求項１０】
請求項９記載のはんだ組成物であって、液相線温度が１３０℃〜１４５℃の範囲にある、はんだ組成物。
【請求項１１】
請求項６記載のはんだ組成物であって、前記元素混合物が、
１３重量％〜１５重量％のスズと；
０．５重量％〜２．５重量％のアンチモンと；
０．５重量％〜１．５重量％の銅と；
１重量％〜４重量％のニッケルと；
７４重量％〜７５重量％のインジウムと；
５重量％〜８．５重量％の銀と；
０．３重量％〜１．５重量％の亜鉛とのみからなる、はんだ組成物。
【請求項１２】
請求項１１記載のはんだ組成物であって、前記元素混合物が、
１５重量％のスズと；
０．５重量％〜１．５重量％のアンチモンと；
０．５重量％〜１．５重量％の銅と；
１重量％のニッケルと；
７５重量％のインジウムと；
６重量％の銀と；
０．５重量％〜１．５重量％の亜鉛とのみからなる、はんだ組成物。
【請求項１３】
請求項１２記載のはんだ組成物であって、前記元素混合物が、
１５重量％のスズと；
１重量％のアンチモンと；
１重量％の銅と；
１重量％のニッケルと；
７５重量％のインジウムと；
６重量％の銀と；
１重量％の亜鉛とのみからなる、はんだ組成物。
【請求項１４】
請求項１１記載のはんだ組成物であって、前記元素混合物が、
１４重量％のスズと；
０．５重量％〜１．５重量％のアンチモンと；
０．５重量％〜１．５重量％の銅と；
３重量％のニッケルと；
７５重量％のインジウムと；
５重量％の銀と；
０．５重量％〜１．５重量％の亜鉛とのみからなる、はんだ組成物。
【請求項１５】
請求項１４記載のはんだ組成物であって、前記元素混合物が、
１４重量％のスズと；
１重量％のアンチモンと；
１重量％の銅と；
３重量％のニッケルと；
７５重量％のインジウムと；
５重量％の銀と；
１重量％の亜鉛とのみからなる、はんだ組成物。
【請求項１６】
請求項１１記載のはんだ組成物であって、前記元素混合物が、
１３重量％のスズと；
１．５重量％〜２．５重量％のアンチモンと；
０．５重量％〜１．５重量％の銅と；
４重量％のニッケルと；
７４重量％のインジウムと；
５重量％の銀と；
０．５重量％〜１．５重量％の亜鉛とのみからなる、はんだ組成物。
【請求項１７】
請求項１６記載のはんだ組成物であって、前記元素混合物が、
１３重量％のスズと；
２重量％のアンチモンと；
１重量％の銅と；
４重量％のニッケルと；
７４重量％のインジウムと；
５重量％の銀と；
１重量％の亜鉛とのみからなる、はんだ組成物。
【請求項１８】
５重量％〜１０重量％のスズと；
１重量％〜４重量％のアンチモンと；
０．５重量％〜３．５重量％の銅と；
０．１重量％〜１重量％のニッケルと；
８０重量％〜８６重量％のインジウムと；
１重量％〜４重量％の銀と、
０．１〜０．５重量％の亜鉛と、
０．００１重量％未満のゲルマニウムとのみからなる、元素混合物を含むはんだ組成物。
【請求項１９】
１２重量％〜１３重量％のスズと；
２重量％〜３重量％のアンチモンと；
１重量％〜２重量％の銅と；
１重量％〜２重量％のニッケルと；
７７重量％〜７８重量％のインジウムと；
３重量％〜４重量％の銀とのみからなる、元素混合物を含むはんだ組成物。
【請求項２０】
１８重量％〜１９重量％のスズと；
０．２重量％〜０．５重量％のアンチモンと；
０．１重量％〜１．０重量％の銅と；
０．２重量％〜１．０重量％のニッケルと；
７７重量％〜８０重量％のインジウムと；
１重量％〜２重量％の銀とのみからなる、元素混合物を含むはんだ組成物。
【請求項２１】
１７重量％〜１９重量％のスズと；
４重量％〜５重量％のアンチモンと；
２重量％〜３重量％の銅と；
１重量％〜２重量％のニッケルと；
７０重量％〜７２重量％のインジウムと；
２重量％〜３重量％の銀とのみからなる、元素混合物を含むはんだ組成物。
【請求項２２】
７重量％〜１９重量％のスズと；
０．２重量％〜５重量％のアンチモンと；
０．１重量％〜３重量％の銅と；
０．３重量％〜２重量％のニッケルと；
７７重量％〜８２重量％のインジウムと；
１重量％〜６重量％の銀と；
０．０１重量％〜４重量％の亜鉛とからなる、元素混合物を含むはんだ組成物。
【請求項２３】
１１重量％〜１７重量％のスズと；
０．５重量％〜３重量％のアンチモンと；
０．５重量％〜１．５重量％の銅と；
０．５重量％〜５重量％のニッケルと；
７２重量％〜７７重量％のインジウムと；
４重量％〜８．５重量％の銀と；
０．３重量％〜１．５重量％の亜鉛からなる、元素混合物を含むはんだ組成物。
【請求項２４】
５重量％〜１０重量％のスズと；
１重量％〜４量％のアンチモンと；
０．５重量％〜１．５重量％の銅と；
０．１重量％〜１重量％のニッケルと；
８０重量％〜８６重量％のインジウムと；
１重量％〜４重量％の銀と；
０．１重量％〜０．５重量％の亜鉛と、
０．００１重量％未満のゲルマニウムからなる、元素混合物を含むはんだ組成物。
【請求項２５】
１７重量％〜１９重量％のスズと；
４重量％〜５重量％のアンチモンと；
２重量％〜３重量％の銅と；
１重量％〜２重量％のニッケルと；
７０重量％〜７２重量％のインジウムと；
２重量％〜３重量％の銀とからなる、元素混合物を含むはんだ組成物。